(57)【要約】【課題】免震設計されたビル等の建築物に一端が連結され、自由端側が建築物と溝を介して隣接する地盤に固定される幅広の受枠に摺動可能に支持される溝蓋の取付構造において、上記受枠の下面に並設される補強材と地盤のコンクリート躯体より突設される差し筋との溶接作業が容易に行えるようにすると共に、受枠下へのコンクリートの打設が隅々まで容易に行えるようにする。【解決手段】受枠１７をＬ形断面の板材１３と、一側縁を斜め外向きに傾斜させた傾斜受縁１４ａとした板材１４と、両板材１３及び１４を長手方向に適当間隔で連結したＴ形断面の補強材１５とにより構成し、補強材間をコンクリート打設用の開口１６とする。地盤Ｂへの取付けは、受枠１７を支持した状態で、開口１６からコンクリート躯体１８より突設される差し筋１９と補強材１５とを溶接して固定すると共に、板材１４とコンクリート躯体１８との間及び各開口１６からコンクリートを打設する。【選択図】図７
2008095385.tif 000002
【特許請求の範囲】
【請求項１】
免震設計されたビル等の建築物の周りに地震時における建築物の揺れを吸収するために形成される溝に設置される溝蓋の取付構造であって、上記建築物と、該建築物と溝を介して隣接する地盤のいずれか一方に固定され、溝蓋の一端が連結される第１の受枠と、上記建築物と地盤のいずれか他方に固定され、溝蓋の自由端側が摺動可能に載置される幅広の第２の受枠よりなり、第１及び第２の両受枠のうち、少なくとも第２の受枠には、上記建築物または地盤との間にコンクリートが打設される溝蓋の取付構造において、上記第２の受枠には１ないし複数のコンクリート打設用の開口が形成されることを特徴とする溝蓋の取付構造。
【請求項２】
上記第２の受枠が建築物または地盤に、該建築物又は地盤より突設される差し筋と、受枠下面の長手方向に適当間隔で並設される補強材を溶接することにより固定され、補強材間の受枠にはコンクリート打設用の開口が補強材に沿うようにして形成されることを特徴とする請求項１記載の溝蓋の取付構造。
【請求項３】
上記第２の受枠が一定の間隔を存して長手方向に延びる板材と、両板材を適当間隔で固定する補強材よりなり、補強材間がコンクリート打設用の開口とされることを特徴とする請求項２記載の溝蓋の取付構造。
【請求項４】
上記第２の受け枠が一枚の鋼板から或いは数枚の鋼板を組合せて形成されることを特徴とする請求項２記載の溝蓋の取付構造。
【発明の詳細な説明】
【技術分野】
【０００１】
本発明は、免震設計されたビル等の建築物の周りに形成される溝に設置される溝蓋の取付構造に関する。
【背景技術】
【０００２】
免震設計されたビル等の建築物では、地震時における建築物の揺れを吸収するために周りに溝が設置してあり、溝には歩行者や車両の走行のため溝蓋が設置してある。こうした溝蓋は、地震時の溝幅の変化に対応できるようにする必要がある。そこで下記特許文献１には、図１及び図２に示すように、建築物Ａにアングル状の受枠１を固着すると共に、建築物Ａと溝Ｄを介して隣接する地盤Ｂに幅広の受枠２を固着し、一端を受枠１に連結した溝蓋３の自由端側を受枠２上に載置し、地震時に溝幅が変化すると、溝蓋３の自由端側が受枠２上を摺動できるようにし、溝幅がより狭くなったときは図３に示すように溝蓋自由端に設けた傾斜縁４が受枠２端の傾斜受縁２ａに当たって地盤Ｂ上に乗り上げるようになっており、溝蓋端には更に地盤Ｂに掛け渡されるカバー板５を取付けた目地カバー装置が開示されている。
【０００３】
上述する受枠１及び２の建築物Ａ及び地盤Ｂへの施工は、図４に示すように受枠１及び２の高さをそれぞれ調節して保持したのち、建築物Ａのコンクリート躯体より突設される差し筋６に受枠１に固着のアンカー７を溶接にて取付けたり、地盤Ｂより突設される差し筋８に受枠２に固着のアンカー９及び受枠２下面の長手方向に適当間隔で、該長手方向と直交して並設される補強材１０を溶接にて取付け、ついで建築物Ａのコンクリート躯体と受枠１との間、及び地盤Ｂのコンクリート躯体と受枠２との間よりコンクリートを矢印方向に打設して行っていた。図５は、施工後の断面構造を示し、図中、１１は打設したコンクリート層を示す。
【特許文献１】特開平１０−３１７５１６号
【発明の開示】
【発明が解決しようとする課題】
【０００４】
上述の受枠２は溝蓋３の摺動を確保できるように幅広に形成されているため、地盤Ｂのコンクリート躯体と受枠２の間の隙間よりコンクリートを受け枠２の隅々まで充填することは容易でなく、施工が困難であり、また受枠下面の補強材１０と差し筋８を溶接するのも補強材１０が受枠２の奥にある程困難であった。
【０００５】
本発明は、溝蓋が摺動する受枠を建築物又は建築物の周りの地盤に固定するためのコンクリートの打設が容易に行える溝蓋の取付構造を提供することを第１の目的とし、溝蓋が摺動する受枠の長手方向下面に適当間隔で並設される補強材と、建築物または該建築物の周りの地盤より突設された差し筋とで溶接にて取付けられる溝蓋の取付構造において、コンクリートの打設及び補強材と差し筋との溶接作業が容易に行えるようにすることを第２の目的とする。
【課題を解決するための手段】
【０００６】
請求項１に係る発明は、免震設計されたビル等の建築物の周りに地震時における建築物の揺れを吸収するために形成される溝に設置される溝蓋の取付構造であって、上記建築物と、該建築物と溝を介して隣接する地盤のいずれか一方に固定され、溝蓋の一端が連結される第１の受枠と、上記建築物と地盤のいずれか他方に固定され、溝蓋の自由端側が摺動可能に載置される幅広の第２の受枠よりなり、第１及び第２の両受枠のうち、少なくとも第２の受枠には、上記建築物または地盤との間にコンクリートが打設される溝蓋の取付構造において、上記第２の受枠には１ないし複数のコンクリート打設用の開口が形成されることを特徴とする。
【０００７】
請求項２に係る発明は、請求項１に係る発明において、第２の受枠が建築物または地盤に、該建築物又は地盤より突設される差し筋と、受枠下面の長手方向に適当間隔で並設される補強材を溶接することにより固定され、補強材間の受枠にはコンクリート打設用の開口が補強材に沿うようにして形成されることを特徴とし、
請求項３に係る発明は、請求項２に係る発明の第２の受枠が一定の間隔を存して長手方向に延びる板材と、両板材を適当間隔で固定する補強材よりなり、補強材間がコンクリート打設用の開口とされることを特徴とする。
【０００８】
請求項４に係る発明は、請求項２に係る発明の第２の受け枠が一枚の鋼板から或いは数枚の鋼板を組合せて形成されることを特徴とする。
【発明の効果】
【０００９】
請求項１に係る発明によると、コンクリート躯体と受枠との間のみならず、コンクリート打設用の開口を通してコンクリートを打設することにより、コンクリートの打設をコンクリート躯体と受枠との間でのみ行ってきた従来例に比べ、コンクリートを受枠の隅々まで充填することが容易にできるようになり、また開口を設けたことにより、受枠の重量を軽減できるようになる。
【００１０】
請求項２に係る発明によると、補強材に沿う開口を通してコンクリートの打設を行うことにより請求項１に係る発明と同様の効果を奏するほか、補強材と差し筋の溶接作業が容易に行えるようになる。
【００１１】
請求項３に係る発明によると、板材と補強材により、補強材ごとにコンクリート打設用の開口を備えた受枠を簡易に得ることができる。
【００１２】
請求項４に係る発明によると、受枠を１枚の鋼板から或いは数枚の鋼板を組合せて形成することにより受枠の構成を簡単にすることができる。
【発明を実施するための最良の形態】
【００１３】
以下、本発明の実施形態の溝蓋の取付構造について図面により説明する。
図６は、Ｌ形断面の板材１３と、一側縁を斜め外向きに傾斜させた傾斜受縁１４ａとした板材１４の両板材１３及び１４をＴ形断面の補強材１５により板材１３及び１４の長手方向に適当間隔で連結し、補強材間をコンクリート打設用の開口１６とした第２の受枠に相当する受枠１７を示すものであり、図７は、同受枠１７を地盤Ｂに取付けた状態を示すもので、受け枠１７の地盤Ｂへの取付けは、図６に示す受枠１７を地盤Ｂのコンクリート躯体１８上に高さ調整をして支持した状態で、開口１６からコンクリート躯体１８より突設される差し筋１９と補強材１５とを溶接して固定すると共に、板材１４の傾斜受縁１４ａに固定されるアンカー２１と差し筋１９を溶接して固定することにより行う。その後、  板材１４とコンクリート躯体１８との間及び各開口１６からコンクリートが打設される。
【００１４】
第１の受枠に相当する建築物Ａ側の受枠２４（図９参照）は、図１〜図３に示す従来の受枠１と同様にして建築物Ａに連結される。
【００１５】
図８は、建築物Ａ側に取付けた受枠２４と、溝Ｄを介して隣接する地盤Ｂ側に取付けた受枠１７にコンクリート打設後、溝蓋３を架設した状態を示すもので、溝蓋３には、図１〜図３に示す溝蓋３と同様、地盤Ｂに掛け渡されるカバー板５が取付けてある。図中、２２は打設されたコンクリート層を示す。
【００１６】
なお、上述のコンクリート層２２は乾燥により収縮し、乾燥後は板材１３、１４より沈降するため、図７に示す受枠１７では、溝蓋３は受枠１７に装着した状態で板材１３及び１４に当たり、両板材によって支持されるが、コンクリートの収縮代を見込んで収縮代分嵩上げしてコンクリートを打設することにより乾燥後のコンクリート面を板材１３及び１４と面一になるようにし、溝蓋３を板材１３及び１４と共にコンクリート層で支持させるようにすることもできる。
【００１７】
本実施形態の取付構造によると、地震時に溝幅が変化すると、図１〜図３に示す従来の溝蓋３と同様、溝蓋３の自由端側が受枠１７上を摺動して溝幅の変化に対応できるようになり、溝幅がより狭くなったときは図３に示すように溝蓋自由端に設けた傾斜縁４が受枠１７端の傾斜受縁１４ａに当たって地盤Ｂ上に乗り上げるようになること、受枠１７の各開口１６と、板材１４とコンクリート躯体１８の間よりコンクリートを打設することにより、板材１３及び１４下の受枠１７の隅々までコンクリートを容易に充填することができること、受枠１７は板材１３及び１４と補強材１５とで構成されることから、構造が簡単なものとなり、補強材間は開口１６となっているため、全体の重量が軽減されること、補強材１５の両側は開口１６となっているため、該開口１６を通して補強材１５と差し筋１９との溶接作業が容易に行えるようになること等の効果を奏する。
【００１８】
上記実施形態では、受枠１７は、板材１３及び１４と、両板材１３及び１４を連結する補強材１５よりなり、補強材間をコンクリート打設用の開口１６としているが、別の実施形態では、受枠１７が一枚の鋼板から形成される。一枚の鋼板から形成する場合には、受枠１７がプレス加工により或いは他の機械加工により形成され、プレス加工による場合は、傾斜受縁１４ａが屈曲加工により、また開口が打抜きにより形成される。受け枠１７が１枚の鋼板から形成される場合には、補強材１５は取付けても良いし、省いても良い。省く場合、差し筋１９は受枠１７を構成する鋼板に直接溶接して連結される。
【００１９】
更に別の実施形態では、受枠１７が複数の鋼板から形成され、補強材１５上に組付けられる。図９は、このうちの好ましい１つの態様を示すもので、一側に凹所２４を補強材１５と同一ピッチが形成し、他側に傾斜受縁２５ａを形成した板材２５と、一側に上記凹所２４に対応する箇所に凹所２７を形成した板材２８を凹所２４と凹所２７同士で開口２９が形成されるように突き合せて補強材上に載置するか、或いは補強材１５に溶接にて固定してなるものである。
【図面の簡単な説明】
【００２０】
【図１】免震設計の建築物と地盤との間に溝蓋を掛け渡した状態を示す図
【図２】地震により溝幅が狭まったときの状態を示す図
【図３】地震により溝幅が更に狭まり、溝蓋が地盤上に乗り上げた状態を示す図
【図４】受枠を地盤側の差し筋に取り付けた状態を示す図
【図５】コンクリートを打設した溝蓋の取付構造の断面図
【図６】本発明に係る溝蓋の取付構造で用いる受枠の要部の斜視図
【図７】図６に示す受枠を地盤に取付けた断面図
【図８】溝蓋が取付けられた溝蓋取付構造の断面図
【図９】受枠の別の例の要部の斜視図
【符号の説明】
【００２１】
１、２、１７・・受枠
２ａ、１４ａ、２５ａ・・傾斜受縁
３・・溝蓋
４・・傾斜縁
５・・カバー板
６、８、１９・・差し筋
７、９、２１・・アンカー
１０、１５・・補強材
１３、１４、２５、２８・・板材
１１、２２・・コンクリート層
１６、２９・・開口
１８・・コンクリート躯体
２４、２７・・凹所
【図１】
2008095385.tif 000003
【図２】
2008095385.tif 000004
【図３】
2008095385.tif 000005
【図４】
2008095385.tif 000006
【図５】
2008095385.tif 000007
【図６】
2008095385.tif 000008
【図７】
2008095385.tif 000009
【図８】
2008095385.tif 000010
【図９】
2008095385.tif 000011